【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
無線周波数回路であって、
アクティブの場合に第１無線周波数信号を与えるべく構成された第１無線周波数信号経路と、
アクティブの場合に第２無線周波数信号を与えるべく構成された第２無線周波数信号経路と
を含み、
前記第２無線周波数信号経路は、前記第１無線周波数信号経路がアクティブの場合に前記第１無線周波数信号経路との結合に起因する前記第２無線周波数信号経路における定在波共振の進展を防止するべく構成された負荷インピーダンスを有する整合ネットワークを含み、
前記整合ネットワークは増幅器と選択スイッチとの間に結合される無線周波数回路。
【請求項２】
前記整合ネットワークの負荷インピーダンスは、前記第２無線周波数信号経路が非アクティブかつ前記第１無線周波数信号経路がアクティブの場合に前記第１無線周波数信号経路との結合に起因する前記第２無線周波数信号経路における共振を防止するべく構成される請求項１の無線周波数回路。
【請求項３】
前記第１無線周波数信号経路は、前記第１無線周波数信号を与えるべく構成された第１電力増幅器を含み、
前記第２無線周波数信号経路は、前記第２無線周波数信号を与えるべく構成された第２電力増幅器を含む請求項１の無線周波数回路。
【請求項４】
前記選択スイッチは、前記第２無線周波数信号を前記選択スイッチのアンテナ側にある出力へと選択的に与えるべく構成される請求項１の無線周波数回路。
【請求項５】
前記選択スイッチは、前記選択スイッチの非アンテナ側に複数のスローを含むマルチスロースイッチであり、
前記複数のスローはそれぞれが、前記第２無線周波数信号を受信するべく構成される請求項４の無線周波数回路。
【請求項６】
前記マルチスロースイッチの各スローは、スイッチアームと、対応スイッチアームに電気的に結合されたシャントアームとを含み、
前記選択スイッチは、前記第２無線周波数信号経路が非アクティブかつ前記第１無線周波数信号経路がアクティブの場合、選択されたスイッチアームをオンにし、かつ、選択されたシャントアームをオンにするべく構成され、
前記選択されたスイッチアーム及び前記選択されたシャントアームは前記負荷インピーダンスに寄与する請求項５の無線周波数回路。
【請求項７】
前記負荷インピーダンスは、選択スイッチの入力及び接地間において直列の入力シャントアーム及びパッシブインピーダンス素子を含む請求項４の無線周波数回路。
【請求項８】
前記パッシブインピーダンス素子は抵抗器である請求項７の無線周波数回路。
【請求項９】
前記負荷インピーダンスは、第１端及び第２端を有するシャントキャパシタを含み、
前記第１端は前記選択スイッチの入力に電気的に結合され、
前記第２端は接地電位に電気的に結合される請求項４の無線周波数回路。
【請求項１０】
前記第１無線周波数信号と前記第２無線周波数信号とは周波数帯域が異なる請求項１の無線周波数回路。
【請求項１１】
無線周波数信号を送信する電子システムであって、
第１無線周波数信号を与えるべく構成された第１電力増幅器と、第１整合ネットワークと、前記第１整合ネットワークを介して前記第１無線周波数信号を受信するべくそれぞれが構成された第１の複数のスローを含む第１マルチスロースイッチとを含む第１送信経路と、
前記第１無線周波数信号とは異なる周波数帯域内にある第２無線周波数信号を与えるべく構成された第２電力増幅器を含む第２送信経路と
を含み、
前記第２送信経路はさらに、前記第２電力増幅器の出力と第２マルチスロースイッチとの間に電気的に結合された第２整合ネットワークを含み、
前記第２マルチスロースイッチは、前記第２整合ネットワークを介して前記第２無線周波数信号を受信するべくそれぞれが構成された第２の複数のスローを含み、
前記第２マルチスロースイッチは、前記第１送信経路がアクティブの場合に前記第１送信経路との結合に起因する前記第２送信経路における共振の進展を防止するべく構成された入力インピーダンスを有する電子システム。
【請求項１２】
前記第２マルチスロースイッチの入力インピーダンスは、入力シャントアームと直列のパッシブインピーダンス素子を含む請求項１１の電子システム。
【請求項１３】
前記パッシブインピーダンス素子は抵抗器を含む請求項１２の電子システム。
【請求項１４】
前記第２マルチスロースイッチの入力インピーダンスはシャントキャパシタを含む請求項１１の電子システム。
【請求項１５】
前記第２マルチスロースイッチは、前記第２マルチスロースイッチが非アクティブ状態の場合、選択されたスローに対応するスイッチアーム及びシャントアームの双方をオンにすることにより、前記入力インピーダンスの少なくとも一部を実装するべく構成される請求項１１の電子システム。
【請求項１６】
前記第１の複数のスローの各スローは、前記第１送信経路の画定された周波数バンドの異なるサブバンドに関連付けられる請求項１１の電子システム。
【請求項１７】
無線周波数信号を増幅する電子デバイスであって、
無線周波数信号を増幅するべく構成された増幅器と、
前記増幅器の出力に結合された整合ネットワークと、
前記整合ネットワークを介して前記増幅器と通信する選択スイッチと
を含み、
前記選択スイッチはアクティブ状態において、選択された出力経路に前記選択スイッチの入力を電気的に結合するべく構成され、
前記選択スイッチは、前記選択スイッチが非アクティブ状態かつ前記増幅器がアクティブ解除の場合に他の無線周波数信号経路との結合に起因する前記整合ネットワークにおける定在波共振が進展することを防止するべく、非アクティブ状態において入力インピーダンスを有する電子デバイス。
【請求項１８】
前記選択スイッチは、各スローに対応するシャントアーム及びスイッチアームを有するマルチスロースイッチであり、
前記選択スイッチは、前記選択スイッチが非アクティブ状態の場合、選択されたスローに対応するスイッチアーム及びシャントアームの双方がオンとなるように構成される請求項１７の電子デバイス。
【請求項１９】
前記選択スイッチを非アクティブ状態に設定するべく前記選択スイッチに制御信号を与えるように構成されたスイッチ制御回路をさらに含む請求項１８の電子デバイス。
【請求項２０】
前記選択スイッチは、前記選択スイッチの入力に入力シャントアームを含み、
前記入力シャントアームは、前記選択スイッチが非アクティブ状態の場合にオンとなるべく構成される請求項１７の電子デバイス。
【請求項２１】
パッシブインピーダンス素子が、前記選択スイッチの入力及び接地電位間において前記入力シャントアームと直列である請求項２０の電子デバイス。
【請求項２２】
シャントキャパシタが第１端及び第２端を有し、
前記第１端は前記選択スイッチの入力に結合され、
前記第２端は接地電位に結合される請求項１７の電子デバイス。
【請求項２３】
前記整合ネットワークはキャパシタ及びインダクタを含む請求項１７の電子デバイス。
【請求項２４】
バンドローディングを低減する無線周波数フロントエンドであって、
第１無線周波数信号を与えるべく構成された第１電力増幅器と、第１整合ネットワークと、前記第１整合ネットワークを介して前記第１無線周波数信号を受信するべく構成された第１マルチスロースイッチとを含む第１送信経路と、
前記第１無線周波数信号とは異なる周波数帯域内にある第２無線周波数信号を与えるべく構成された第２電力増幅器と、第２整合ネットワークと、前記第２整合ネットワークを介して前記第２無線周波数信号を受信するべく構成された第２マルチスロースイッチとを含む第２送信経路と
を含み、
前記第２マルチスロースイッチは、パッシブインピーダンス素子に結合された複数のスローを有し、
前記パッシブインピーダンス素子は、前記第２マルチスロースイッチの入力と接地電位との間において入力シャントアームと直列にされる無線周波数フロントエンド。
【請求項２５】
前記パッシブインピーダンス素子は抵抗器を含む請求項２４の無線周波数フロントエンド。
【請求項２６】
前記抵抗器は、前記第２マルチスロースイッチの入力と前記入力シャントアームとの間に直列に結合される請求項２５の無線周波数フロントエンド。
【請求項２７】
前記入力シャントアームは、前記第２送信経路がアクティブ状態の場合にオンとなるべく構成される請求項２４の無線周波数フロントエンド。
【請求項２８】
前記入力シャントアームは、前記第１送信経路がアクティブ状態の場合にオンとなるべく構成される請求項２４の無線周波数フロントエンド。
【請求項２９】
前記パッシブインピーダンス素子と前記入力シャントアームとの結合インピーダンスは、前記入力シャントアームがオンの場合の前記第１無線周波数信号の基本周波数において５０オームとなる前記請求項２４の無線周波数フロントエンド。
【請求項３０】
前記第１送信経路及び前記第２送信経路を封入するパッケージを含むモジュールとして構成される請求項２４の無線周波数フロントエンド。
【請求項３１】
第１送信経路及び第２送信経路並びにアンテナを含む携帯デバイスとして構成され、
前記アンテナは、前記第１送信経路がアクティブ状態の場合に前記第１無線周波数信号を送信するべく構成される請求項２４の無線周波数フロントエンド。
【請求項３２】
前記パッシブインピーダンス素子は、前記第２マルチスロースイッチの入力と前記接地電位との間に前記入力シャントアームと直列にされ、
前記パッシブインピーダンス素子は、前記第１送信経路がアクティブの場合に前記第１送信経路との結合に起因する前記第２送信経路における定在波の進展を防止するべく構成される請求項２４の無線周波数フロントエンド。
【請求項３３】
バンドローディングを低減する電子システムであって、
アクティブの場合に第１無線周波数信号を与えるべく構成された第１無線周波数信号経路と、
アクティブの場合に第２無線周波数信号を与えるべく構成された第２無線周波数信号経路と
を含み、
前記第２無線周波数信号経路は選択スイッチを含み、
前記選択スイッチは、前記選択スイッチの入力マルチスローに電気的に結合された入力シャントアームを有し、
前記入力シャントアームは、前記第１無線周波数信号経路がアクティブかつ前記第２無線周波数信号経路が非アクティブの場合にオンとなるように構成される電子システム。
【請求項３４】
前記入力シャントアームは、前記選択スイッチの入力と接地電位との間においてパッシブインピーダンス素子と直列にされる請求項３３の電子システム。
【請求項３５】
前記パッシブインピーダンス素子は抵抗器を含む請求項３４の電子システム。
【請求項３６】
前記第２無線周波数信号経路は、
前記第２無線周波数信号経路がアクティブの場合に前記第２無線周波数信号を発生させるべく構成された電力増幅器と、
前記第２無線周波数信号を前記選択スイッチに与えるべく構成された整合ネットワークと
を含む請求項３３の電子システム。
【請求項３７】
前記第１無線周波数信号及び前記第２無線周波数信号は異なる周波数帯域にある請求項３３の電子システム。
【請求項３８】
携帯デバイス用の電子コンポーネントとして構成される請求項３３の電子システム。
【請求項３９】
無線周波数回路であって、
無線周波数信号を増幅するべく構成された増幅器と、
前記増幅器の出力に結合された整合ネットワークと、
前記整合ネットワークを介して前記増幅器から前記無線周波数信号を受信するべく構成された入力を有するマルチスロースイッチと
を含み、
前記マルチスロースイッチは、前記増幅器と前記マルチスロースイッチの複数のスローそれぞれとの間にあるノードに電気的に結合された入力シャントアームを有し、
前記入力シャントアームは、前記マルチスロースイッチが非アクティブ状態の場合にオンとなるべく構成される無線周波数回路。
【請求項４０】
前記マルチスロースイッチの入力と接地電位との間において前記入力シャントアームと直列にされるパッシブインピーダンス素子をさらに含む請求項３９の無線周波数回路。
【請求項４１】
前記パッシブインピーダンス素子は抵抗器である請求項４０の無線周波数回路。
【請求項４２】
前記パッシブインピーダンス素子は、前記入力シャントアームと前記マルチスロースイッチの入力との間に直接にされる請求項４０の無線周波数回路。
【請求項４３】
前記マルチスロースイッチは少なくとも４つのスローを含む請求項３９の無線周波数回路。
【請求項４４】
前記増幅器は電力増幅器である請求項３９の無線周波数回路。
【請求項４５】
第２の増幅器と、第２の整合ネットワークを介して前記第２の増幅器から第２の無線周波数信号を受信するべく構成された第２のマルチスロースイッチとを含む他の無線周波数信号経路をさらに含み、
前記他の無線周波数信号経路は、前記整合ネットワークへの結合を与える請求項３９の無線周波数回路。